(57)【要約】【課題】ガイド層分離型の構造を有していてもラジアル方向の記録密度の向上が可能な光記録媒体を提供する。【解決手段】光記録媒体４Ａは、集光光学系３８により集光された波長λ２の光ビームＢ２の照射を受ける情報記録層Ｌ１と、集光光学系３８により集光された波長λ１（λ１＞λ２）の光ビームＢ１の照射を受けるガイド層Ｌｇとを含む。ガイド層Ｌｇは、ピット列を含むガイドトラックを有している。ピットの長さは、波長λ１とこの波長λ１に対する集光光学系３８の開口数とで定まる回折限界の１／２以上である。【選択図】図３
2012226809.tif 000002
【特許請求の範囲】
【請求項１】
第１波長の第１の光ビームと前記第１波長よりも短い第２波長の第２の光ビームとを光軸方向の互いに異なる位置にそれぞれ集光させる集光光学系を用いた情報の記録または再生がなされる光記録媒体であって、
前記集光光学系により集光された当該第２の光ビームの照射を受ける少なくとも１層の情報記録層と、
前記情報記録層に対して当該情報記録層の厚み方向に離間し、前記集光光学系により集光された当該第１の光ビームの照射を受けるガイド層と
を備え、
前記ガイド層は、複数のピットからなるピット列を含むガイドトラックを有し、
前記ガイドトラックの延在方向における前記ピットの長さは、前記第１波長と該第１波長に対する前記集光光学系の開口数とで定まる回折限界の１／２以上である、
ことを特徴とする光記録媒体。
【請求項２】
請求項１に記載の光記録媒体であって、前記ガイド層に前記厚み方向に隣接して配置され、前記集光光学系により集光された当該第１の光ビームの照射により光学特性が変化した局所的な領域で局在光を発生させる超解像機能層をさらに備えることを特徴とする光記録媒体。
【請求項３】
請求項１または２に記載の光記録媒体であって、前記第１波長をλとし、前記第１波長に対する前記集光光学系の開口数をＮＡとするとき、前記回折限界は、λ／（２ＮＡ）、で与えられることを特徴とする光記録媒体。
【請求項４】
請求項１から３のうちのいずれか１項に記載の光記録媒体であって、前記ガイドトラックのトラックピッチは、６４０ｎｍ以下であり且つ前記回折限界よりも大きいことを特徴とする光記録媒体。
【請求項５】
第１波長の第１の光ビームと前記第１波長よりも短い第２波長の第２の光ビームとを光軸方向の互いに異なる位置にそれぞれ集光させる集光光学系を用いた情報の記録または再生がなされる光記録媒体であって、
前記集光光学系により集光された当該第２の光ビームの照射を受ける少なくとも１層の情報記録層と、
前記情報記録層に対して当該情報記録層の厚み方向に離間し、前記集光光学系により集光された当該第１の光ビームの照射を受けるガイドトラックを有するガイド層と、
前記ガイド層に前記厚み方向に隣接して配置され、前記集光光学系により集光された当該第１の光ビームの照射により光学特性が変化した局所的な領域で局在光を発生させる超解像機能層と
を備えることを特徴とする光記録媒体。
【請求項６】
請求項５に記載の光記録媒体であって、前記ガイドトラックは、複数のピットからなるピット列で構成されていることを特徴とする光記録媒体。
【請求項７】
請求項５に記載の光記録媒体であって、前記ガイドトラックは、グルーブ及びランドを有するグルーブ構造で構成されていることを特徴とする光記録媒体。
【請求項８】
請求項１乃至４及び請求項６のうちのいずれか１項に記載の光記録媒体であって、
前記ピットの各々は、所定の変調方式による符号長に対応した長さを有し、
前記ピット列は、前記ピットの長さに対応する埋め込み情報を有する、
ことを特徴とする光記録媒体。
【請求項９】
請求項１乃至４及び請求項６のうちのいずれか１項に記載の光記録媒体であって、前記ピット列は、各々が所定の空間周波数で蛇行する一連のウォブルパターンを形成し、前記ウォブルパターンに対応する埋め込み情報を有することを特徴とする光記録媒体。
【請求項１０】
請求項１から９のうちのいずれか１項に記載の光記録媒体であって、前記ガイドトラックは、前記ガイド層において同心円状またはスパイラル状に形成されていることを特徴とする光記録媒体。
【請求項１１】
請求項１から１０のうちのいずれか１項に記載の光記録媒体であって、
前記集光光学系により集光された当該第１の光ビーム及び当該第２の光ビームの入射面を有し前記情報記録層を被覆する保護層をさらに備え、
前記ガイド層は、前記情報記録層に対して前記入射面とは反対側に配置されている、
ことを特徴とする光記録媒体。
【請求項１２】
請求項１から１１のうちのいずれか１項に記載の光記録媒体であって、前記情報記録層は２層以上からなることを特徴とする光記録媒体。
【請求項１３】
請求項１から１２のうちのいずれか１項に記載の光記録媒体に対する情報の記録または再生を行う駆動装置であって、
前記光記録媒体を回転させる回転駆動部と、
前記第１の光ビームを出射する第１の光源と、
情報の記録または再生用の光ビームを前記第２の光ビームとして出射する第２の光源と、
前記前記ガイド層に前記第１の光ビームを集光させるとともに前記第２の光ビームを前記情報記録層に集光させる前記集光光学系と、
前記ガイド層で反射した前記第１の光ビームの戻り光を受光して第１の検出信号を出力する第１の受光素子と、
前記情報記録層で反射した前記第２の光ビームの戻り光を受光して第２の検出信号を出力する第２の受光素子と、
前記第１の検出信号に基づいてトラッキングエラー信号を生成するトラッキング制御部と、
前記トラッキングエラー信号に応じて前記集光光学系を駆動して前記ガイドトラックに追従させるアクチュエータと
を備えることを特徴とする駆動装置。
【請求項１４】
請求項１３に記載の駆動装置であって、
前記第１の受光素子は、４分割受光面を有し、
前記トラッキング制御部は、位相差検出法により前記トラッキングエラー信号を生成する、
ことを特徴とする駆動装置。
【請求項１５】
請求項１乃至４及び請求項６のうちのいずれか１項に記載の光記録媒体に対する情報の記録または再生を行う駆動装置であって、
前記光記録媒体を回転させる回転駆動部と、
前記第１の光ビームを出射する第１の光源と、
情報の記録または再生用の光ビームを前記第２の光ビームとして出射する第２の光源と、
前記前記ガイド層に前記第１の光ビームを集光させるとともに前記第２の光ビームを前記情報記録層に集光させる前記集光光学系と、
前記ガイド層で反射した前記第１の光ビームの戻り光を受光して第１の検出信号を出力する第１の受光素子と、
前記情報記録層で反射した前記第２の光ビームの戻り光を受光して第２の検出信号を出力する第２の受光素子と、
前記第１の検出信号に基づいてトラッキングエラー信号を生成するトラッキング制御部と、
前記トラッキングエラー信号に応じて前記集光光学系を駆動して前記ガイドトラックに追従させるアクチュエータと、
前記第１の検出信号に基づいて、前記ガイドトラック上の位置を表すアドレス情報を含む埋め込み情報を検出するアドレス検出部と
を備え、
前記ピット列を構成するピットの各々は、所定の変調方式による符号長に対応した長さを有し、
前記アドレス検出部は、前記ピットの長さに対応する前記第１の検出信号の信号波形に基づいて前記埋め込み情報を検出する、
ことを特徴とする駆動装置。
【請求項１６】
請求項１乃至４及び請求項６のうちのいずれか１項に記載の光記録媒体に対する情報の記録または再生を行う駆動装置であって、
前記光記録媒体を回転させる回転駆動部と、
前記第１の光ビームを出射する第１の光源と、
情報の記録または再生用の光ビームを前記第２の光ビームとして出射する第２の光源と、
前記前記ガイド層に前記第１の光ビームを集光させるとともに前記第２の光ビームを前記情報記録層に集光させる前記集光光学系と、
前記ガイド層で反射した前記第１の光ビームの戻り光を受光して第１の検出信号を出力する第１の受光素子と、
前記情報記録層で反射した前記第２の光ビームの戻り光を受光して第２の検出信号を出力する第２の受光素子と、
前記第１の検出信号に基づいてトラッキングエラー信号を生成するトラッキング制御部と、
前記トラッキングエラー信号に応じて前記集光光学系を駆動して前記ガイドトラックに追従させるアクチュエータと、
前記第１の検出信号に基づいて埋め込み情報を検出するアドレス検出部と
を備え、
前記ピット列は、各々が所定の空間周波数で蛇行する一連のウォブルパターンを形成しており、
前記第１の受光素子は、前記ガイドトラックと直交する方向に対応する方向に互いに対向する一対の受光面を有し、
前記アドレス検出部は、前記一対の受光面からそれぞれ出力された検出信号の差分に基づいて前記埋め込み情報を検出する、
ことを特徴とする駆動装置。
【請求項１７】
請求項１３から１６のうちのいずれか１項に記載の駆動装置であって、前記第１の検出信号に基づいて回転制御信号を生成し、前記回転制御信号に基づいて前記光記録媒体の回転速度を制御する回転制御部をさらに備えることを特徴とする駆動装置。
【請求項１８】
請求項１７に記載の駆動装置であって、前記回転制御部は、前記ガイドトラックに対する前記第１の光ビームの線速度が一定となるように前記光記録媒体の回転速度を制御することを特徴とする駆動装置。
【発明の詳細な説明】
【技術分野】
【０００１】
本発明は、光ディスクなどの光記録媒体、及び、この光記録媒体に対して情報の記録と再生の一方または双方を行う駆動装置に関するものである。
【背景技術】
【０００２】
ＣＤ（Ｃｏｍｐａｃｔ  Ｄｉｓｃ）やＤＶＤ（Ｄｉｇｔａｌ  Ｖｅｒｓａｔｉｌｅ  Ｄｉｓｃ：デジタル多用途ディスク）やＢＤ（Ｂｌｕ−ｒａｙ  Ｄｉｓｃ：ブルーレイディスク；登録商標）といった光ディスクは、レーザ光の照射を受けて映像データや音楽データなどの情報の記録、あるいは、記録された情報の再生のために使用される情報記録媒体である。光ディスクは、世代を重ねるにつれて大容量の発展を続けている。たとえば、ＣＤでは、光透過層であるディスク基板の厚みが約１．２ｍｍ、レーザ光波長が約７８０ｎｍ、対物レンズの開口数ＮＡ（Ｎｕｍｅｒｉｃａｌ  Ａｐｅｒｔｕｒｅ）が０．４５であり、６５０ＭＢの容量が実現されている。また、ＣＤよりも後の世代のＤＶＤでは、光透過層であるディスク基板の厚みが約０．６ｍｍ、レーザ光波長が約６５０ｎｍ、ＮＡが０．６であり、４．７ＧＢの容量が実現されている。たとえば、厚みが約０．６ｍｍのディスク基板を２枚貼り合わせて約１．２ｍｍの厚みを有するＤＶＤを作製することができる。さらに高記録密度を有するＢＤでは、情報記録面を被覆する保護層（光透過層）の厚みが約０．１ｍｍ、レーザ光波長が約４０５ｎｍ、ＮＡが０．８５である。ＢＤが単層ディスクの場合には約２５ＧＢの大容量が実現され、ＢＤが２層ディスクの場合には約５０ＧＢの大容量が実現されており、ＢＤには高精細なハイビジョン映像を長時間記録することができる。
【０００３】
ハイビジョン映像を超える次世代の高精細映像や立体映像について、今後も一般ユーザーが扱うデータ量は膨大なものに増えていくと予想されているため、ＢＤの容量を超える大容量のデータを蓄積可能な光ディスクが求められている。
【０００４】
上記したように光ディスクの大容量化は、レーザ光波長の短波長化と対物レンズの高ＮＡ化とにより対物レンズの焦点面における集光スポットサイズを微小化することで、また、情報記録層のトラック上の記録マークのサイズを微小化することで達成されてきた。しかしながら、集光スポットサイズの微小化には、対物レンズの光学性能とレーザ光波長とで定まる物理的限界が存在する。
【０００５】
そこで、近年、厚み方向に複数の情報記録層が所定間隔で積層された多層構造を有する多層光ディスクが開発され市販されている。たとえば、１層当たり約２５ＧＢの記録容量を有する２層光ディスク（ＤＬ  ｄｉｓｃ：Ｄｕａｌ−Ｌａｙｅｒ  ｄｉｓｃ）、１層当たりの記録容量を約３３ＧＢに向上させた３層光ディスク（ＴＬ  ｄｉｓｃ：Ｔｒｉｐｌｅ  Ｌａｙｅｒ  ｄｉｓｃ）、及び、１層当たりの記録容量を約３２ＧＢとした４層光ディスク（ＱＬ  ｄｉｓｃ：Ｑｕａｄｒｕｐｌｅ  Ｌａｙｅｒ  ｄｉｓｃ）が市販されている。
【０００６】
しかしながら、このような多層光ディスクでは、情報記録層の数を増やすと、記録または再生に用いる光に対する透過率や反射率や光吸収特性を考慮した光学設計が難しくなる。たとえば、多層光ディスクの情報記録層のうち光入射面から離れた奧側の情報記録層に光を照射してアクセスしようとするときに、アクセス対象の情報記録層と光入射面との間に介在する情報記録層の反射率と光吸収率とにより光量ロスが発生し、これにより情報の記録または再生に必要となる光量を確保することが難しい場合がある。
【０００７】
特に、従来の多層（ＤＬ、ＴＬあるいはＱＬ）光ディスクでは、それぞれの情報記録層にトラッキング（トラッキングサーボ）のための案内溝またはピット列が設けられているので、その案内溝またはピット列で回折光が発生することにより光量ロスが大きくなるという課題がある。さらに、そのような回折光は、光ディスクに対する情報の記録や再生のために使用される光学系において不要な迷光となり、記録特性や再生特性に悪影響を及ぼすといった問題の原因となりうる。そこで、このような多層光ディスクのトラッキングサーボ用の案内溝やピット列に起因する光量ロスや迷光の影響を抑制する技術が、たとえば、下記の非特許文献１及び特許文献１〜４に開示されている。
【０００８】
非特許文献１には、複数の情報記録層（Ｒｅｃｏｒｄｉｎｇ  Ｌａｙｅｒｓ）と、トラッキングサーボ用のガイドトラックを有するガイド層（Ｇｕｉｄｅ  Ｌａｙｅｒ）とを備えた多層光ディスクが開示されている。ガイド層は、情報記録層とは分離した別の層として形成されている。また、非特許文献１に開示されている記録装置は、対物レンズを介してガイド層に第１の光ビーム（波長：６５５ｎｍ）を集光させてガイドトラックに対物レンズを追従させ、これと同時に、同じ対物レンズを介して第２の光ビーム（波長：４０５ｎｍ）を情報記録層に集光させて情報の記録または再生を行う。第１の光ビームに対する対物レンズの実効的な開口数ＮＡは、第２の光ビームに対する実効的な開口数ＮＡよりも小さい値に設定される。この多層光ディスクでは、ガイドトラックが情報記録層とは分離しているので、情報記録層にトラッキングサーボ用の案内溝やピット列が設けられていない。このため、情報の記録または再生に使用される第２の光ビームの光量ロスや迷光の発生を抑制することができる。
【０００９】
特許文献１で引用されている特許文献２〜４にも、非特許文献１に開示されているガイド層分離型の構造と類似の構造を有する光ディスクが開示されている。
【先行技術文献】
【非特許文献】
【００１０】
【非特許文献１】Ｍａｓａｈａｒｕ  Ｎａｋａｎｏ，ｅｔ  ａｌ．，  “Ｒｅｃｏｒｄｉｎｇ  Ｓｙｓｔｅｍ  ｆｏｒ  Ｍｕｌｔｉｌａｙｅｒ  Ｄｉｓｋ  ｗｉｔｈ  ａ  Ｓｅｐａｒａｔｅｄ  Ｇｕｉｄｅ  Ｌａｙｅｒ”，  Ｔｅｃｈ．Ｄｉｇ  ｏｆ  ＩＳＯＭ２００９，Ｔｈ−Ｉ−０３，ｐｐ．２３０−２３１．
【特許文献】
【００１１】
【特許文献１】国際公開第２００８／１２０３５４号（段落０００３〜０００５）
【特許文献２】特許第２８３５０７４号公報（第１図〜第３図など）
【特許文献３】特開２００１−３０７３４４号公報（図３、図４、段落００３３〜００４０及び段落００４５〜００４９など）
【特許文献４】特開２００４−２４１０８８号公報（図１及び図２、段落００１６〜００２０及び段落００２１〜００２４など）
【発明の概要】
【発明が解決しようとする課題】
【００１２】
上記ガイド層分離型の光ディスク構造の場合、トラッキングサーボ用の第１の光ビームと情報の記録または再生用の第２の光ビームとが同時に多層光ディスクに照射される。これら第１及び第２の光ビームの反射光を光学系で互いに分離して検出するためには、両者の波長が互いに異なる必要があり、トラッキングサーボ用の第１の光ビームの波長は、第２の光ビームの波長よりも長い。このため、ガイド層のトラックピッチを狭小化することは容易ではなかった。
【００１３】
たとえば、非特許文献１によれば、第１の光ビームの波長は６５５ｎｍ、第１の光ビームの波長に対する対物レンズの実効開口数は０．６であり、第２の光ビームの波長は４０５ｎｍ、第２の光ビームの波長に対する対物レンズの実効開口数は０．８５である。また、ガイドトラックのトラックピッチは７４０ｎｍであり、ＢＤのトラックピッチ３２０ｎｍに比べて大きい。このため、非特許文献１に開示されるガイド層分離型の構造の場合、ラジアル方向の記録密度が低く、光ディスクの大容量化の妨げになるという課題がある。
【００１４】
上記に鑑みて本発明の目的は、ガイド層分離型の構造を有していても、ラジアル方向の記録密度を向上させることができる光記録媒体及び駆動装置を提供することである。
【課題を解決するための手段】
【００１５】
本発明の第１の態様による光記録媒体は、第１波長の第１の光ビームと前記第１波長よりも短い第２波長の第２の光ビームとを光軸方向の互いに異なる位置にそれぞれ集光させる集光光学系を用いた情報の記録または再生がなされる光記録媒体であって、前記集光光学系により集光された当該第２の光ビームの照射を受ける少なくとも１層の情報記録層と、前記情報記録層に対して当該情報記録層の厚み方向に離間し、前記集光光学系により集光された当該第１の光ビームの照射を受けるガイド層とを備え、前記ガイド層は、複数のピットからなるピット列を含むガイドトラックを有し、前記ガイドトラックの延在方向における前記ピットの長さは、前記第１波長と該第１波長に対する前記集光光学系の開口数とで定まる回折限界の１／２以上であることを特徴とする。
【００１６】
本発明の第２の態様による光記録媒体は、第１波長の第１の光ビームと前記第１波長よりも短い第２波長の第２の光ビームとを光軸方向の互いに異なる位置にそれぞれ集光させる集光光学系を用いた情報の記録または再生がなされる光記録媒体であって、前記集光光学系により集光された当該第２の光ビームの照射を受ける少なくとも１層の情報記録層と、前記情報記録層に対して当該情報記録層の厚み方向に離間し、前記集光光学系により集光された当該第１の光ビームの照射を受けるガイドトラックを有するガイド層と、前記ガイド層に前記厚み方向に隣接して配置され、前記集光光学系により集光された当該第１の光ビームの照射により光学特性が変化した局所的な領域で局在光を発生させる超解像機能層とを備えることを特徴とする。
【００１７】
本発明の第３の態様による駆動装置は、上記光記録媒体に対する情報の記録または再生を行う駆動装置であって、前記光記録媒体を回転させる回転駆動部と、前記第１の光ビームを出射する第１の光源と、情報の記録または再生用の光ビームを前記第２の光ビームとして出射する第２の光源と、前記前記ガイド層に前記第１の光ビームを集光させるとともに前記第２の光ビームを前記情報記録層に集光させる前記集光光学系と、前記ガイド層で反射した前記第１の光ビームの戻り光を受光して第１の検出信号を出力する第１の受光素子と、前記情報記録層で反射した前記第２の光ビームの戻り光を受光して第２の検出信号を出力する第２の受光素子と、前記第１の検出信号に基づいてトラッキングエラー信号を生成するトラッキング制御部と、前記トラッキングエラー信号に応じて前記集光光学系を駆動して前記ガイドトラックに追従させるアクチュエータとを備えることを特徴とする。
【００１８】
本発明の第４の態様による駆動装置は、上記光記録媒体に対する情報の記録または再生を行う駆動装置であって、前記光記録媒体を回転させる回転駆動部と、前記第１の光ビームを出射する第１の光源と、情報の記録または再生用の光ビームを前記第２の光ビームとして出射する第２の光源と、前記前記ガイド層に前記第１の光ビームを集光させるとともに前記第２の光ビームを前記情報記録層に集光させる前記集光光学系と、前記ガイド層で反射した前記第１の光ビームの戻り光を受光して第１の検出信号を出力する第１の受光素子と、前記情報記録層で反射した前記第２の光ビームの戻り光を受光して第２の検出信号を出力する第２の受光素子と、前記第１の検出信号に基づいてトラッキングエラー信号を生成するトラッキング制御部と、前記トラッキングエラー信号に応じて前記集光光学系を駆動して前記ガイドトラックに追従させるアクチュエータと、前記第１の検出信号に基づいて、前記ガイドトラック上の位置を表すアドレス情報を含む埋め込み情報を検出するアドレス検出部とを備え、前記ピット列を構成するピットの各々は、所定の変調方式による符号長に対応した長さを有し、前記アドレス検出部は、前記ピットの長さに対応する前記第１の検出信号の信号波形に基づいて前記埋め込み情報を検出することを特徴とする。
【００１９】
本発明の第５の態様による駆動装置は、上記光記録媒体に対する情報の記録または再生を行う駆動装置であって、前記光記録媒体を回転させる回転駆動部と、前記第１の光ビームを出射する第１の光源と、情報の記録または再生用の光ビームを前記第２の光ビームとして出射する第２の光源と、前記前記ガイド層に前記第１の光ビームを集光させるとともに前記第２の光ビームを前記情報記録層に集光させる前記集光光学系と、前記ガイド層で反射した前記第１の光ビームの戻り光を受光して第１の検出信号を出力する第１の受光素子と、前記情報記録層で反射した前記第２の光ビームの戻り光を受光して第２の検出信号を出力する第２の受光素子と、前記第１の検出信号に基づいてトラッキングエラー信号を生成するトラッキング制御部と、前記トラッキングエラー信号に応じて前記集光光学系を駆動して前記ガイドトラックに追従させるアクチュエータと、前記第１の検出信号に基づいて埋め込み情報を検出するアドレス検出部とを備え、前記ピット列は、各々が所定の空間周波数で蛇行する一連のウォブルパターンを形成しており、前記第１の受光素子は、前記ガイドトラックと直交する方向に対応する方向に互いに対向する一対の受光面を有し、前記アドレス検出部は、前記一対の受光面からそれぞれ出力された検出信号の差分に基づいて前記埋め込み情報を検出することを特徴とする。
【発明の効果】
【００２０】
本発明によれば、ガイド層分離型の構造を有していても、情報記録層のラジアル方向の記録密度を高くすることができる。
【図面の簡単な説明】
【００２１】
【図１】本発明の実施の形態１の駆動装置の主な構成を概略的に示す機能ブロック図である。
【図２】（Ａ）は、実施の形態１に係る多層光ディスクのガイド層に形成された同心円状のガイドトラックの例を概略的に示す平面図であり、図２（Ｂ）は、実施の形態１に係る多層光ディスクのガイド層に形成されたスパイラル状のガイドトラックの例を概略的に示す平面図である。
【図３】実施の形態１に係る多層光ディスクの構造を概略的に示す断面図である。
【図４】実施の形態１に係る多層光ディスクのガイド層のピット列を概略的に示す斜視図である。
【図５】ガイド層からの反射光を受光する受光素子の４分割受光面の一例を概略的に示す図である。
【図６】情報記録層からの反射光を受光する受光素子の４分割受光面の一例を示す図である。
【図７】（Ａ）は、ピット長の変調によりアドレス情報が記録される場合のガイド層におけるピット列の一例を示す図である。（Ｂ）は、（Ａ）のピット列に対応する再生信号の波形を概略的に示す図である。
【図８】（Ａ），（Ｂ）は、ピット列の蛇行により埋め込み情報が記録される場合のガイド層Ｌｇにおけるピット列の一例を示す図である。
【図９】本発明の実施の形態２に係る多層光ディスクの構造を概略的に示す断面図である。
【図１０】プッシュプル法に使用される受光素子の受光面の構成例を概略的に示す図である。
【図１１】本発明の実施の形態３に係る多層光ディスクの構造を概略的に示す断面図である。
【図１２】実施の形態３に係る多層光ディスクのガイド層のグルーブ構造を概略的に示す斜視図である。
【図１３】ケプラータイプ光学系を有する迷光除去手段の構成を示す図である。
【図１４】空間フィルタの一例を示す図である。
【発明を実施するための形態】
【００２２】
以下、本発明の種々の実施の形態について図面を参照しつつ説明する。
【００２３】
実施の形態１．
図１は、本発明に係る実施の形態１の光ディスクシステムである駆動装置１の主な構成を概略的に示す機能ブロック図である。この駆動装置１は、積層された複数の情報記録層からなる情報記録層群ＭＬを有する多層光ディスク４Ａに対して情報の記録または再生を行う機能を有している。
【００２４】
図１に示されるように、多層光ディスク４Ａは、情報記録層群ＭＬとガイド層Ｌｇとを含み、ガイド層Ｌｇは、情報記録層群ＭＬに対して厚み方向に離間し、情報記録層群ＭＬから完全に分離した別の層として形成されている。情報記録層群ＭＬには、トラッキングサーボ用の案内溝やピット列などのガイドトラックは設けられておらず、ガイドトラックはガイド層Ｌｇに同心円状またはスパイラル状に形成されている。図２（Ａ）は、多層光ディスク４Ａのガイド層Ｌｇに形成された同心円状のガイドトラックＴＲ，ＴＲ，ＴＲ，…を概略的に示す平面図であり、図２（Ｂ）は、ガイド層Ｌｇに形成されたスパイラル状のガイドトラックＴＲを概略的に示す平面図である。
【００２５】
図３は、実施の形態１に係る多層光ディスク４Ａの構造の一部を概略的に示す断面図である。図３において、符号ＸＲは、多層光ディスク４Ａのラジアル方向を示し、符号Ｙθは、ラジアル方向ＸＲと直交する多層光ディスク４Ａのタンジェンシャル方向を示している。
【００２６】
図３に示されるように、多層光ディスク４Ａは、互いに積層された情報記録層Ｌ０〜Ｌ６と、ガイド層Ｌｇと、これら情報記録層Ｌ０〜Ｌ６及びガイド層Ｌｇを被覆する透光性保護層（カバー層）４０１とを有している。また、ガイド層Ｌｇの裏面は、裏面保護層４０９によって被覆されている。情報記録層Ｌ０〜Ｌ６は、透光性中間層４０２〜４０７によって互いに分離されており、情報記録層Ｌ０とガイド層Ｌｇとは透光性中間層４０８によって互いに分離されている。なお、図３の例では、情報記録層Ｌ０〜Ｌ６は７層であるが、この層数に限定されるものではない。
【００２７】
ガイド層Ｌｇには、ガイドトラックを構成するピットＰｔが形成されている。ガイド層Ｌｇは、たとえば、エンボス加工により基材の表面に凹凸パターンを形成し、この凹凸パターン上にアルミニウムなどの反射膜（図示せず）を成膜することにより形成することができる。
【００２８】
図４は、ガイド層Ｌｇのピット列を概略的に示す斜視図である。図４に示されるように、ガイド層Ｌｇは、ガイドトラックＴＲｋ−１，ＴＲｋ，ＴＲｋ＋１，ＴＲｋ＋２，…の各々を構成する複数のピットＰｔを有している。これらガイドトラックＴＲｋ−１，ＴＲｋ，ＴＲｋ＋１，ＴＲｋ＋２，…の各々は、多層光ディスク４Ａのタンジェンシャル方向Ｙθに延在している。図４に示されるように、ガイドトラックＴＲｋ−１，ＴＲｋ，ＴＲｋ＋１，ＴＲｋ＋２，…は、ラジアル方向ＸＲにおいて一定間隔（トラックピッチ）Λで配列されており、各ピットＰｔは、ガイドトラックの延在方向に長さαを有している。図４では、ピットＰｔがベース材から凸形状を成すものとして例示されているが、凸形状に代えて凹形状を成していてもよい。
【００２９】
情報記録層Ｌ０〜Ｌ６の各々は、ガイド層ＬｇのガイドトラックＴＲｋ−１，ＴＲｋ，ＴＲｋ＋１，ＴＲｋ＋２，…にそれぞれ対応する記録トラックを有している。各記録トラックに情報ピットなどの凹凸パターンもしくは相変化材料の情報マークを形成すればよい。
【００３０】
図１を参照すると、駆動装置１は、光ヘッド（光ピックアップ）２、コリメータレンズ制御回路（ＣＬ１制御回路）５２、トラッキング制御回路５３、アドレス検出部５４、回転制御部５５、再生記録制御回路６１、レーザドライバ６２、データ処理回路６５、コリメータレンズ制御回路（ＣＬ２制御回路）６６及びフォーカス制御回路６７を備えている。これらの構成要素２，５２〜５５，６１，６２，６５〜６７の動作は、図示されないＭＰＵ（Ｍｉｃｒｏ  Ｐｒｏｃｅｓｓｉｎｇ  Ｕｎｉｔ）によって制御される。このＭＰＵは、外部のホスト機器（図示せず）から受信したコマンドに応じて各種制御処理を実行する。
【００３１】
多層光ディスク４Ａは、ディスク回転モータ３の駆動軸（スピンドル）３ａに固定されたターンテーブル（図示せず）に着脱自在に装着される。ディスク回転モータ３は、回転制御部５５による制御を受けてこの多層光ディスク４Ａを回転駆動する。回転制御部５５は、多層光ディスク４Ａの実回転速度を表すパルス信号波形を抽出する回転パルス検出回路５５２と、このパルス信号に基づいて実回転速度が目標回転速度に一致するようにディスク回転モータ３の動作を制御するモータ制御回路５５１とを有している。モータ制御回路５５１は、ガイドトラックに対する光ビームＢ１の走査線速度が一定となるようにディスク回転モータ３の動作を制御することができる。
【００３２】
光ヘッド２は、多層光ディスク４Ａに対して波長の異なる２種類の光ビームＢ１，Ｂ２を同時に集光して照射し、多層光ディスク４Ａのガイド層Ｌｇと情報記録層とでそれぞれ反射した戻り光を検出する機能を有する。なお、駆動装置１は、光ヘッド２を多層光ディスク４Ａのラジアル方向に移動させて位置決めする光ヘッド駆動機構とその制御回路とを備えているが、これら光ヘッド駆動機構と制御回路は図１に示されていない。
【００３３】
具体的には、光ヘッド２は、図１に示されるように、図示されないレーザドライバにより駆動されて波長λ１の光ビームＢ１を出射するレーザ光源２１と、レーザドライバ６２により駆動されて波長λ２（λ１＞λ２）の光ビームＢ２を出射するレーザ光源２９とを備える。光ビームＢ１は、多層光ディスク４Ａのガイド層Ｌｇに集光され、光ビームＢ２は、多層光ディスク４Ａの複数の情報記録層のうちのアクセス対象の情報記録層に集光される。図１においては、光ビームＢ１，Ｂ２の有効光束がそれぞれ破線と実線とで概略的に示されている。
【００３４】
また、光ヘッド２は、レーザ光源２１から出射された光ビームＢ１を多層光ディスク４Ａに導いてガイド層Ｌｇに集光させる構成として、図１に示されるように、偏光ビームスプリッタ２２、コリメータレンズ（ＣＬ１）２３、波長選択性プリズム２７、偏光ビームスプリッタ３０、コリメータレンズ（ＣＬ２）３４、反射ミラー（立ち上げミラー）３６、１／４波長板３７及び対物レンズ３８を備えている。
【００３５】
レーザ光源２１から出射された光ビームＢ１は、偏光ビームスプリッタ２２とコリメータレンズ２３とを順に透過して波長選択性プリズム２７に入射する。ここで、レンズ駆動部２４は、コリメータレンズ制御回路５２による制御を受けて動作し、たとえばパルスモータを用いてコリメータレンズ２３を光軸方向に沿ってシフトさせて、光学収差（たとえば、多層光ディスク４Ａのカバー層の厚みや製造誤差に起因する球面収差）の補正や、多層光ディスク４Ａにおける光ビームＢ１の集光点位置の制御を行うことができる。コリメータレンズ制御回路５２は、受光素子２６から供給された検出信号を用いてコリメータレンズ２３を適正位置にシフトさせることが可能である。
【００３６】
波長選択性プリズム２７は、コリメータレンズ２３から入射した波長λ１の光ビームＢ１を偏光ビームスプリッタ３０の方向に反射させる。波長選択性プリズム２７から偏光ビームスプリッタ３０に入射した光ビームＢ１は、当該偏光ビームスプリッタ３０とコリメータレンズ３４とを順に透過して反射ミラー３６で反射して１／４波長板３７に入射する。反射ミラー３６で反射した光ビームＢ１は、１／４波長板３７で円偏光に変換された後に、対物レンズ３８により多層光ディスク４Ａのガイド層Ｌｇに集光させられる。このとき、図３及び図４に示されるように、光ビームＢ１の集光スポットがガイドトラックＴＲｋ上に形成される。図４に示されるように、集光スポットＳＰ１は、中心部でピークを形成する光強度分布Ｄ１を有している。
【００３７】
ガイド層Ｌｇで反射した光ビームＢ１の回折成分を含む戻り光は、対物レンズ３８で収束され、１／４波長板３７で直線偏光に変換された後に、反射ミラー３６でコリメータレンズ３４の方向に反射する。なお、光ビームＢ１，Ｂ２に対する対物レンズ３８の有効径の大小関係は、対物レンズ３８の設計に応じて異なる。
【００３８】
反射ミラー３６で反射した光ビームＢ１の戻り光は、コリメータレンズ３４と偏光ビームスプリッタ３０とを順に透過した後、波長選択性プリズム２７でコリメータレンズ２３の方向に反射する。そして、光ビームＢ１の戻り光は、コリメータレンズ２３を透過した後に、偏光ビームスプリッタ２２で集光レンズ２５の方向に反射する。受光素子２６は、集光レンズ２５を透過した光ビームＢ１の戻り光を受光する。
【００３９】
受光素子２６は、位相差検出（ＤＰＤ：Ｄｉｆｆｅｒｅｎｔｉａｌ  Ｐｈａｓｅ  Ｄｅｔｅｃｔｉｏｎ）法によるトラッキングエラー検出に適した４分割受光面を有している。図５は、受光素子２６の４分割受光面の一例を概略的に示す図である。この４分割受光面２６０に光ビームＢ１の戻り光のスポット（受光スポット）ＲＳ１が形成される。図５の４分割受光面２６０は、多層光ディスク４Ａのラジアル方向ＸＲに対応する方向Ｘ１の分割線（光不感帯）２６１と、この分割線２６１と直交する分割線（光不感帯）２６２とを有し、これら分割線２６１，２６２で区画された４つの受光領域２６０Ａ〜２６０Ｄを有している。これら受光領域２６０Ａ，２６０Ｂ，２６０Ｃ，２６０Ｄは、入射光を光電変換してそれぞれ検出信号ＩＡ，ＩＢ，ＩＣ，ＩＤを生成する。
【００４０】
トラッキング制御回路５３は、受光素子２６による戻り光の検出結果に基づいて、ＤＰＤ法によるトラッキングエラー信号ＴＥを生成し、このトラッキングエラー信号ＴＥに応じた駆動信号をアクチュエータ４０に供給する。アクチュエータ４０は、当該駆動信号に応じて対物レンズ３８を多層光ディスク４Ａのラジアル方向にシフト（変位）させることができる。これにより、ガイドトラックに対する対物レンズ３８のデトラック（トラックずれ）が生じている場合には、トラッキング制御回路５３は対物レンズ３８を当該ガイドトラックに追従させることができる。
【００４１】
図５の４分割受光面２６０を使用する場合、ＤＰＤ法によるトラッキングエラー信号ＴＥは、次の演算式（１Ａ），（１Ｂ）のいずれかで与えられる。
ＴＥ＝φ（ＩＡ＋ＩＣ）−φ（ＩＢ＋ＩＤ）    ・・・（１Ａ）、
ＴＥ＝｛φ（ＩＡ）−φ（ＩＢ）｝＋｛φ（ＩＣ）−φ（ＩＤ）｝  ・・・（１Ｂ）
【００４２】
ここで、φ（Ｉ）は、信号Ｉの位相を表す記号である。上式（１Ａ）を採用するときは、４分割受光面２６０の斜めに対向する受光領域２６０Ａ，２６０Ｃから出力された検出信号ＩＡ，ＩＣの加算結果と、斜めに対向する受光領域２６０Ｂ，２６０Ｄから出力された検出信号ＩＢ，ＩＤの加算結果との間の時間的な位相差がトラッキングエラー信号ＴＥとして生成される。一方、上式（１Ｂ）を採用するときは、４分割受光面２６０のＸ１方向に対向する受光領域２６０Ａ，２６０Ｂから出力された検出信号ＩＡ，ＩＢ間の時間的な位相差と、Ｘ１方向に対向する受光領域２６０Ｃ，２６０Ｄから出力された検出信号ＩＣ，ＩＤ間の時間的な位相差との加算結果がトラッキングエラー信号ＴＥとして生成される。上式（１Ａ），（１Ｂ）のいずれを採用する場合でも、光ビームＢ１の集光スポットＳＰ１の中心がピット列の中心線を走査するとき、トラッキングエラー信号ＴＥの信号レベルはゼロとなる。一方、集光スポットＳＰ１の中心がピット列の中心線からラジアル方向ＸＲにずれた位置を走査するときは、トラッキングエラー信号ＴＥの信号レベルは、当該ずれに応じた信号レベルを示す。
【００４３】
このようなＤＰＤ法によるトラッキングエラーの検出感度は、タンジェンシャル方向Ｙθ（ほぼガイドトラックの延在方向）におけるピットＰｔの外形寸法に依存する。一般に、プッシュプル法によるトラッキングエラーの検出感度は、トラックピッチに対する集光スポットのラジアル方向ＸＲの分解能に依存する。それ故、ラジアル方向のトラックピッチが小さく、ガイドトラックで反射した回折光が対物レンズ３８の開口を外れて伝搬すれば、プッシュプル法によるトラッキングエラー検出ができなくなる。これに対し、ＤＰＤ法では、隣接ガイドトラック間の信号クロストーク量に対して一定以上のＳＮ比が得られる限り、ラジアル方向ＸＲの分解能に依存せずに高い検出感度を確保することができる。
【００４４】
そこで、本実施の形態での多層光ディスク４Ａの特徴の１つは、ガイド層ＬｇのすべてのピットＰｔの長さαを回折限界の１／２以上とすることである。波長λ１に対する対物レンズ３８の実効開口数をＮＡ１とすると、理論的には、回折限界は、λ１／（２×ＮＡ１）で与えられるといわれている。この回折限界λ１／（２×ＮＡ１）は、光ディスクのタンジェンシャル方向に同一長のピットとスペースとが繰り返し配列された周期パターンの解像限界とほぼ一致するので、ピットの解像限界は、回折限界λ１／（２×ＮＡ１）の半分程度すなわちλ１／（４×ＮＡ１）程度であると考えられる。
【００４５】
したがって、すべてのピット長αをピットの解像限界λ１／（４×ＮＡ１）以上にすることで、たとえトラックピッチΛを回折限界λ１／（２×ＮＡ１）近くまで小さくしたとしても、トラッキングエラーの検出感度を確保しつつ、情報記録層Ｌ０〜Ｌ６のラジアル方向ＸＲの記録密度を高くすることができる。それ故、本実施の形態に係る多層光ディスク４Ａは、ガイド層分離型の構造を有していても、従来の多層光ディスクと比べて更なる大容量化を実現することができる。
【００４６】
たとえば、非特許文献１に記載されているような、ＤＶＤ用の波長λ１＝６５５ｎｍ、ＮＡ１＝約０．６が用いられている構成の場合であれば、トラックピッチΛが６４０ｎｍ以下で且つ回折限界λ１／（２×ＮＡ１）より大きい範囲においては、ＤＰＤ法は、前記プッシュプル法に比べ検出感度を大きく確保することができるので、ＤＰＤ法を適用するのが望ましい。ここで、トラックピッチΛが６４０ｎｍの場合にプッシュプル法により得られるトラッキングエラー信号の振幅は、トラックピッチΛが７４０ｎｍの場合にプッシュプル法により得られるトラッキングエラー信号の振幅よりも３ｄＢ程度低下する。なお、ピット長αの上限は、たとえば、回折限界の５倍〜１０倍程度に設定されればよい。
【００４７】
一方、レーザドライバ６２は、再生記録制御回路６１による制御を受けてレーザ光源２９を駆動する。レーザ光源２９は、レーザドライバ６２から供給された駆動信号に応じた再生パワーまたは記録パワーを有する光ビームＢ２を出射する。レーザ光源２９から出射された光ビームＢ２は、偏光ビームスプリッタ３０でレンズ駆動部３５の方向に反射し、その後、コリメータレンズ３４を透過して反射ミラー３６で反射して１／４波長板３７に入射する。
【００４８】
ここで、レンズ駆動部３５は、コリメータレンズ制御回路６６による制御を受けて動作し、たとえばパルスモータを用いてコリメータレンズ３４を光軸方向に沿ってシフトさせて、光学収差（たとえば、多層光ディスク４Ａのカバー層の厚みや製造誤差に起因する球面収差）の補正や、多層光ディスク４Ａにおける光ビームＢ２，Ｂ１の焦点制御を行うことができる。なお、コリメータレンズ制御回路６６は、受光素子３２から供給された検出信号を用いてコリメータレンズ３５を適正位置にシフトさせることが可能である。
【００４９】
反射ミラー３６で反射した光ビームＢ２は、１／４波長板３７で円偏光に変換された後に、対物レンズ３８により多層光ディスク４Ａのアクセス対象の情報記録層Ｌｍ（ｍは１〜７のいずれか）に集光させられる。なお、アクセス対象の情報記録層（アクセス層）とは、複数の情報記録層Ｌ０〜Ｌ６のうち、情報の記録または再生の対象（ターゲット）となる特定の情報記録層をいう。
【００５０】
情報記録層Ｌｍで反射した光ビームＢ２の戻り光は、対物レンズ３８で収束され、１／４波長板３７で直線偏光に変換された後に、反射ミラー３６でコリメータレンズ３４の方向に反射する。反射ミラー３６で反射した光ビームＢ２の戻り光は、偏光ビームスプリッタ３０と波長選択性プリズム２７と集光レンズ３１とを順に透過し、その後、受光素子３２で検出される。
【００５１】
受光素子３２は、ＲＦ信号生成とフォーカスエラー検出とに適した受光面を有している。フォーカスエラーについては、たとえば、公知の非点収差法によるフォーカスエラー検出を行うことができる。図６は、受光素子３２の４分割受光面の一例を示す図である。図６の４分割受光面３２０は、十字状の分割線３２１，３２２を有し、これら分割線３２１，３２２で区画された４つの受光領域３２０Ａ〜３２０Ｄを有している。受光領域３２０Ａ，３２０Ｂ，３２０Ｃ，３２０Ｄは、入射光を光電変換してそれぞれ検出信号ＫＡ，ＫＢ，ＫＣ，ＫＤを生成する。この４分割受光面３２０には、図６に示されるように光ビームＢ２の戻り光のスポット（受光スポット）ＲＳ２が形成される。
【００５２】
データ処理回路６５は、受光素子３２による検出結果に基づいて再生ＲＦ信号を生成する。また、データ処理回路６５は、アドレス検出部５４により検出されたアドレス情報を用いて、再生ＲＦ信号に対して増幅、二値化及び復調処理を実行することで再生データを生成する。図６の４分割受光面３２０を使用する場合は、再生ＲＦ信号は、検出信号ＫＡ，ＫＢ，ＫＣ，ＫＤを加算することで生成することができる。すなわち、再生ＲＦ信号＝ＫＡ＋ＫＢ＋ＫＣ＋ＫＤ、との式に従って再生ＲＦ信号を生成することができる。
【００５３】
フォーカス制御回路６７は、受光素子３２による検出結果に基づいてフォーカスエラー信号ＦＥを生成し、このフォーカスエラー信号ＦＥに応じた駆動信号をアクチュエータ４０に供給する。アクチュエータ４０は、当該駆動信号に応じて対物レンズ３８をフォーカス方向へシフトさせることができる。図６の４分割受光面３２０を使用する場合、フォーカス制御回路６７は、たとえば、非点収差法により次式（２）に従ってフォーカスエラー信号ＦＥを生成することができる。
ＦＥ＝（ＫＡ＋ＫＣ）−（ＫＢ＋ＫＤ）    …（２）
【００５４】
一方、回転パルス検出回路５５２は、受光素子２６による検出結果に基づいて、多層光ディスク４Ａの実回転速度を表すパルス信号波形を抽出する機能を有している。具体的には、回転パルス検出回路５５２は、ガイド層Ｌｇのピット群から検出される反射光量変化信号（ガイドトラック再生信号）に基づいて、パルス信号波形を抽出することができる。モータ制御回路５５１は、たとえば、抽出されたパルス信号を入力クロックとし、当該入力クロックと目標回転速度に対応する基準クロックとの位相差を一定またはゼロにさせるＰＬＬ（Ｐｈａｓｅ  Ｌｏｃｋｅｄ  Ｌｏｏｐ）制御を行ってディスク回転モータ３の回転速度を制御することができる。あるいは、モータ制御回路５５１は、抽出されたパルス信号を入力クロックとし、当該入力クロックと、目標回転速度に対応する基準クロックの逓倍又は分周により生成された変換クロックとの位相差を一定またはゼロにさせるＰＬＬ制御を行ってディスク回転モータ３の回転速度を制御してもよい。
【００５５】
ここで、ガイド層ＬｇのすべてのピットＰｔの長さαを一定長さとする単純なピット列の構成を採用することで、ガイド層Ｌｇのピットを簡易に形成することができ、また、そのピット列から得られる再生ＲＦ信号が単一周波数の信号となるので、モータ制御回路５５１における前記ＰＬＬ制御を行う回路構成も簡易なものとすることができるという利点がある。
【００５６】
また、上記トラッキングエラー検出と同時並行で、アドレス検出部５４は、ガイド層Ｌｇからの戻り光の光量変化に基づいて、予めガイド層Ｌｇのガイドトラックに記録されているアドレス情報や制御情報などの埋め込み情報を検出する機能を有する。アドレス情報は、情報記録層Ｌ０〜Ｌ６における位置を特定するために予めガイド層Ｌｇに記録される情報である。データ処理回路６５は、検出されたアドレス情報や制御情報を利用してデータ処理を行うことができる。また、再生記録制御回路６１も、検出されたアドレス情報や制御情報を利用して情報の再生制御もしくは記録制御を行うことが可能である。
【００５７】
本実施の形態に係る多層光ディスク４Ａでは、ガイド層Ｌｇのピットの長さ（ピット長）を変調することで、あるいは、ピット列を所定の空間周波数（周期）で蛇行させることで埋め込み情報をガイド層Ｌｇに記録することができる。埋め込み情報は、情報記録層Ｌ０〜Ｌ６とは別のガイド層Ｌｇに記録されるので、データ記録領域と埋め込み情報の記録領域とを互いに分離することができる。したがって、ガイドトラックとデータを担う情報ピット（または情報マーク）との設計上の制約を取り除くことができるという利点がある。
【００５８】
以下、このような利点を活かすためのガイド層Ｌｇの構成について説明する。
【００５９】
図７（Ａ）は、ピット長の変調により埋め込み情報が記録される場合のガイド層Ｌｇにおけるピット列の一例を示す図である。図７（Ｂ）は、図７（Ａ）のピット列に対応する再生信号の波形を概略的に示す図である。図７（Ｂ）の再生信号は、光ビームＢ２の戻り光の光強度信号であればよい。図５の４分割受光面２６０を使用する場合、アドレス検出部５４は、たとえば、検出信号ＩＡ，ＩＢ，ＩＣ，ＩＤのすべてを加算し、その加算結果（＝ＩＡ＋ＩＢ＋ＩＣ＋ＩＤ）の信号振幅をフィルタで補正することで図７（Ｂ）の再生信号を生成することができる。
【００６０】
図７（Ａ）のピット列においては、区間ＴＡは、再生信号として周期的な基本波成分を生成させる一定長ａ０を有するピットを３個含み、区間ＴＢは、一定長ａ０とは異なる長さａ１，ａ２，ａ３，ａ４をそれぞれ有する４個のピットを含み、区間ＴＣは、周期的な基本波成分を生成させる一定長ａ０を有するピットを３個含む。区間ＴＢにおける長さａ１，ａ２，ａ３，ａ４を有するピットは、基本波成分の周期や位相が変化した信号波形を生成させるものである。各ピットは、たとえばＢＤで採用されているＭＳＫ（Ｍｉｎｉｍｕｍ−Ｓｈｉｆｔ−Ｋｅｙｉｎｇ）といった変調方式で規定される符号長に対応したピット長を有している。また、ピット長に応じて信号周期を変えることで、ＭＳＫ信号に相当する再生信号を得ることが可能である。なお、変調方式は、ＭＳＫに限定されるものではない。
【００６１】
ここで、変調成分が充分確保できる程度のピット長を選択すれば、広い周波数帯域でゲイン特性を調整する必要がなく、ピット列に対応する周波数成分のみにゲインを与える簡易なイコライザー回路を採用することができる。また、ピット長を集光スポットのスポット径のほぼ１／２であるλ１／（２×ＮＡ１）よりも大きく設定すれば、前記イコライザー回路を採用せずに変調振幅を確保することができる。
【００６２】
また、図７（Ａ）のピット列のピット長がＭＳＫで規定される場合であれば、このピット列を、ピット長をたとえば３種類の長さに限定した単純なピット列の構成とすることで、ガイド層Ｌｇのピットを簡易に形成することができる。またさらに、このガイド層Ｌｇから得られる再生信号をディスク回転モータ３の回転速度制御にも用いる場合には、ディスク回転モータ３の回転速度に対するＰＬＬ制御に用いる基準クロックの周波数を安定化するために、上記３種類それぞれのピットの長さの差が前記基準クロックの周波数に相当するピットの物理的な長さの定倍に設定しておくことが望ましい。これにより安定なクロックを得ることができる。
【００６３】
次に、図８（Ａ），（Ｂ）は、ピット列の蛇行により埋め込み情報が記録される場合のガイド層Ｌｇにおけるピット列の一例を示す図である。図８（Ａ）は、ガイド層ＬｇのガイドトラックＴＲｋにおいて形成される一連のウォブルパターン８１１〜８１Ｎ（Ｎは数十〜数百の整数）からなる埋め込み単位８０を示す図であり、図８（Ｂ）は、一連のウォブルパターン８１１〜８１Ｎの一部を含むピット列の蛇行状態を示す図である。図８（Ｂ）に示されるように、ピット列は、タンジェンシャル方向Ｙθに沿って所定の空間周波数で蛇行（ウォブル）しており、ガイドトラックＴＲｋ−１，ＴＲｋ，ＴＲｋ＋１，…はこれら蛇行するピット列で構成されている。
【００６４】
図５の４分割受光面２６０を使用するとき、アドレス検出部５４は、プッシュプル信号ＰＰ（＝（ＩＡ＋ＩＤ）−（ＩＢ＋ＩＣ））をフィルタリング（波形整形）することで、図８（Ｂ）のウォブルパターンに対応する波形を有するウォブル信号を生成することができる。
【００６５】
よって、図８（Ａ），（Ｂ）の構造により、ＢＤで採用されているＡＤＩＰ（Ａｄｄｒｅｓｓ  Ｉｎ  Ｐｒｅｇｒｏｏｖｅ）ユニットに相当する構成を実現することができる。ＡＤＩＰでは、一定深さの案内溝を蛇行させたウォブルトラック構造が採用されており、各ＡＤＩＰユニットは、２個のＭＳＫ（Ｍｉｎｉｍｕｍ−Ｓｈｉｆｔ−Ｋｅｙｉｎｇ）要素と３７個のＳＴＷ（Ｓａｗ−Ｔｏｏｔｈ−Ｗｏｂｂｌｅ）要素とを含む。これに対し、本実施の形態では、ピット列の蛇行構造が採用されるので、図８（Ａ）の埋め込み単位８０をＡＩＷＰ（Ａｄｒｅｓｓ  Ｉｎ  Ｗｏｂｂｌｉｎｇ  Ｐｉｔ）ユニットと呼ぶこととする。各ウォブルパターンの空間周波数（周期）や位相を変化させることで、ＭＳＫ信号やＳＴＷ信号に相当するウォブル信号を生成することが可能である。
【００６６】
なお、図８（Ｂ）のピットＰｔはすべて一定の長さを有しているが、この代わりに、ピットＰｔの長さが変調されてもよいし、あるいは、ランダムな長さであってもよい。また、上記したピット列の蛇行とピット長の変調とを組み合わせることで埋め込み情報をガイド層Ｌｇに予め記録してもよい。
【００６７】
また、図８（Ｂ）は、ピット列の蛇行の様子のみを表した図となっているが、実際にはピット列が蛇行している軌跡の接線方向にそれぞれのピットの長手方向が一致するように形成されていてもよい。また、図８（Ｂ）では、隣接するピット列の蛇行する位相がすべて揃って図示されているが、実際にはガイドトラックごとに位相がずれていてもよい。
【００６８】
以上に説明したように実施の形態１に係る多層光ディスク４Ａは、ガイド層分離型構造を有しているが、ガイド層Ｌｇのガイドトラックに形成されるピットＰｔは、すべて、光ビームＢ１の波長λ１とこの波長λ１に対する対物レンズ３８の実効開口数ＮＡ１とで定まる解像限界（回折限界の１／２）以上のピット長を有するように形成されている。このため、ＤＰＤ法を適用した場合にトラッキングエラーの検出感度を十分に確保することができ、しかも、情報記録層Ｌ０〜Ｌ６のラジアル方向ＸＲの記録密度を高くすることができる。したがって、本実施の形態に係る多層光ディスク４Ａは、ガイド層分離型構造を有していても、従来の多層光ディスクと比べて更なる大容量化を実現することができる。
【００６９】
ＢＤなどの従来の光ディスクでは、データを高密度に記録することができるように短いピット長が採用されており、再生信号の振幅は非常に小さいのが一般的である。よって、データの再生性能や記録密度を犠牲にしてＤＰＤ法の検出感度を優先するようにピットを長く設定することはできないという制限がある。これに対し、本実施の形態の多層光ディスク４Ａは、上記したように、再生信号に関係なく、ＤＰＤ法によるトラッキングエラー検出に最適化された設計が可能であるという利点がある。
【００７０】
また、ガイド層Ｌｇは情報記録層Ｌ０〜Ｌ６とは分離されており、このガイド層Ｌｇに当該解像限界以上の長さαを有するピットＰｔを形成すればよい。このため、情報記録層Ｌ０〜Ｌ６の微細な構造に合わせて短いピットを形成するための微細加工を必要としない。また、情報記録層Ｌ０〜Ｌ６に形成される情報マークまたは情報ピットの長さよりもガイド層Ｌｇのピット長を大きくすることができる。したがって、ＢＤなどの従来の光ディスクと比べて、ガイド層Ｌｇに関する加工精度または成形精度を緩和することができる。したがって、多層光ディスク４Ａを安価で製造することができる。
【００７１】
また、本実施の形態では、回転制御部５５は、ガイド層Ｌｇのピット列から検出される反射光量変化信号（ガイドトラック再生信号）に基づいて多層光ディスク４Ａの回転制御を正確に行うことができる。
【００７２】
さらに、本実施の形態の多層光ディスク４Ａでは、ガイド層Ｌｇのピットの長さを変調することで、あるいは、ピット列を所定の空間周波数（周期）で蛇行させることでアドレス情報や制御情報などを含む埋め込み情報をガイド層Ｌｇに記録することができる。このため、駆動装置１のアドレス検出部５４は、その埋め込み情報を検出することができる。データ処理回路６５は、検出された埋め込み情報を用いたデータ処理を行うことができ、再生記録制御回路６１は、検出された埋め込み情報を用いた再生制御や記録制御を行うことができる。
【００７３】
埋め込み情報は、情報記録層Ｌ０〜Ｌ６とは別のガイド層Ｌｇに記録されるので、ピット長を大きい値に設定して、受光素子２６で検出される信号振幅を大きくすることができる。よって、ラジアル方向のトラックピッチΛを小さい値に設定する場合でも、ＤＰＤ法によるトラッキングエラーの検出感度を高くすることができる。
【００７４】
実施の形態２．
次に、本発明に係る実施の形態２について説明する。本実施の形態の駆動装置の構成は、上記実施の形態１の駆動装置１の構成とほぼ同じであるので、以下、図１を参照しつつ実施の形態２について説明する。本実施の形態の駆動装置１は、超解像機能層を有する多層光ディスクに対して情報の再生あるいは記録を行うことが可能である。
【００７５】
図９は、実施の形態２に係る超解像機能層Ｌｓを有する多層光ディスク４Ｂの断面構造を概略的に示す図である。図９に示されるように、多層光ディスク４Ｂは、積層された情報記録層Ｌ０〜Ｌ６と、ガイド層Ｌｇｐと、このガイド層Ｌｇｐに隣接する超解像機能層Ｌｓと、これら情報記録層Ｌ０〜Ｌ６とガイド層Ｌｇｐと超解像機能層Ｌｓとを被覆する透光性保護層（カバー層）４０１とを有している。また、ガイド層Ｌｇｐの裏面は、裏面保護層４０９によって被覆されている。情報記録層Ｌ０〜Ｌ６は、透光性中間層４０２〜４０７によって互いに分離されており、超解像機能層Ｌｓは、ガイド層Ｌｇｐと情報記録層Ｌ０〜Ｌ６との間に介在している。なお、図９の例では、情報記録層Ｌ０〜Ｌ６は７層であるが、この層数に限定されるものではない。
【００７６】
この多層光ディスク４Ｂは、超解像機能層Ｌｓとガイド層Ｌｇｐの寸法とを除いて、上記実施の形態１のガイド層Ｌｇと同じ構造を有している。ただし、ガイド層Ｌｇｐに形成されるピットについては、超解像機能層Ｌｓの存在により、すべてのピットの長さが解像限界（回折限界の１／２）以上である必要はない。
【００７７】
超解像機能層Ｌｓが光ビームＢ１の照射を受けると、光ビームＢ１の集光スポットの光強度の高いあるいは温度の高い局所的な領域で超解像機能層Ｌｓの光学特性が一時的に変化する。そして、超解像機能層Ｌｓは、その局所的な領域で近接場光や局在プラズモン光などの局在光を発生させる。この局在光は、ガイド層Ｌｇｐのガイドトラックの微細構造（ピット列など）と相互作用することで伝搬光（戻り光）に変換される。
【００７８】
超解像機能層Ｌｓは、光ビームＢ１の光強度に応じて光学特性（光吸収特性や光透過反射特性や光散乱特性）が非線形に変化する材料で構成され、光ビームＢ１の集光スポットの照射を受ける間、屈折率などの光学特性が変化する非線形光吸収特性または非線形光特性を有するものである。超解像機能層Ｌｓは、たとえば、半導体材料や相転移材料や金属酸化物材料により形成することができる。たとえば、レーザ光が集光され照射されたとき、超解像機能層Ｌｓは、回折限界よりも小さい局所的な領域で光学特性が変化して光学的な微小開口が形成され、その微小開口から光（近接場光）が漏れ出す。これにより、集光スポットによる再生分解能が高くなり、対物レンズ３８の開口数ＮＡ１と波長λ１とで定まる回折限界λ１／（２×ＮＡ１）よりも小さいトラックピッチのガイドトラックを検出することが可能となる。
【００７９】
なお、光ビームＢ１の集光スポットに高い分解能を与える超解像機能層材料の光学特性の一例として挙げられた光吸収特性や光透過反射特性や光散乱特性については、超解像機能層Ｌｓの透過率や反射率や吸収率の変化はレーザ光強度に応じて増加または減少のどちらであってもよい。集光スポットより小さい領域で、光吸収特性や光透過反射特性や光散乱特性のいずれかの光学特性の変化が発生すればよい。
【００８０】
超解像機能層材料としては、たとえば、Ｇｅ−Ｓｂ−Ｔｅ系，Ａｇ−Ｉｎ−Ｓｂ−Ｔｅ系，Ｓｂ−Ｔｅ系またはＩｎ−Ｓｂ系の材料により形成することができる。あるいは、ＺｎＯなどの金属酸化物材料を使用してもよい。また、超解像機能を有する材料層のほかに、放熱機能層または熱吸収機能層やガイド層Ｌｇｐからの反射光量を調整するための、また、超解像機能層Ｌｓの構成材料の変質や流動を防ぎ耐久性を高めるための干渉層や誘電体層が設けられていてもよい。干渉層は、光を多重干渉させる機能と熱拡散防止機能とを併せ持つものである。干渉層は、たとえば、ＡｌＮ、ＧｅＮまたはＺｒＯ２により形成することができる。上記誘電体層や干渉層を設けることで、超解像機能層の再生耐久性を向上させることが可能となる。超解像機能層Ｌｓと干渉層や誘電体層とを含む積層構造は特に限定されるものではなく、その膜数や構成材料などについても特に限定されるものではない。これら干渉層や誘電体層は、超解像機能層Ｌｓよりも光ビームＢ１の入射面に近い手前側及び当該入射面とは反対側（奥側）の両方またはいずれか一方に積層されればよい。
【００８１】
上記超解像機能層Ｌｓを設けた場合、光ビームＢ１の集光スポットの実効的な分解能を高めることができるため、情報の記録または再生用の光ビームＢ２の波長λ２よりも長い波長λ１の光ビームＢ１を用いても、トラックピッチΛを小さい値に設定することができる。これにより、多層光ディスク４Ｂのラジアル方向の記録密度を高くすることができる。
【００８２】
同時に、超解像機能層Ｌｓによる分解能は、タンジェンシャル方向についても向上するので、ガイドトラック再生信号の変調信号振幅がさらに大きくなって、特にピット列で構成されるガイドトラックからＤＰＤ法によりトラッキングエラー信号を検出する場合には検出感度がさらによくなるという利点がある。
【００８３】
たとえば、ガイド層Ｌｇｐに照射される光ビームＢ１の波長λ１を６５５ｎｍとし、光ビームＢ１の波長λ１に対する対物レンズ３８の実効開口数ＮＡ１を０．６０としたときの回折限界λ１／（２×ＮＡ１）は、約５６４ｎｍである。また、情報記録層Ｌ０〜Ｌ６のいずれかに照射される光ビームＢ２の波長λ２を４０５ｎｍとし、光ビームＢ２の波長λ２に対する対物レンズ３８の実効開口数ＮＡ２を０．８５としたときの回折限界λ２／（２×ＮＡ２）は、約２３８ｎｍである。非特許文献１では、情報記録層に照射される短い波長４０５ｎｍの光ビームを使用していても、ガイド層に照射される波長６５５ｎｍの光ビームと対物レンズの開口数とで定まる回折限界によってガイド層のトラックピッチが制限されており、ガイドトラックのトラックピッチは、７４０ｎｍに設定されている。ＢＤでのトラックピッチは３２０ｎｍであるので、非特許文献１のガイド層分離型構造のラジアル方向の記録密度は低い。
【００８４】
これに対し、本実施の形態の多層光ディスク４Ｂでは、光ビームＢ１の実効的な分解能を向上させることができ、ラジアル方向の記録密度を高くすることができる。たとえば、超解像機能層Ｌｓが、ＩｎＳｂやＧｅＳｂＴｅ、ＡｇＩｎＳｂＴｅなどの相変化材料を用いて構成された場合、分解能を２倍程度に高めることができれば、トラックピッチΛを３７０ｎｍ程度まで小さくすることができる。
【００８５】
なお、図９の超解像機能層Ｌｓは、ガイド層Ｌｇｐよりも光ビームＢ１の入射面に近い手前側に形成されているが、これに限定されるものではなく、当該入射面とは反対側（奥側）に超解像機能層が形成されてもよいし、あるいは、手前側及び反対側の両方に超解像機能層が形成されてもよい。
【００８６】
また、情報記録層Ｌ０〜Ｌ６のすべてまたは情報記録層Ｌ０〜Ｌ６のうちのいずれかに隣接する超解像機能層を設けてデータの記録密度を高くしてもよい。
【００８７】
本実施の形態に係る多層光ディスク４Ｂは、超解像機能層Ｌｓとガイド層Ｌｇｐの寸法とを除いて、上記実施の形態１のガイド層Ｌｇとほぼ同じ構造を有しているので、上記実施の形態１の多層光ディスク４Ａと同様の効果を奏することができる。また、本実施の形態の多層光ディスク４Ｂは超解像機能層Ｌｓを有していることから、再生分解能が向上するので、超解像機能層Ｌｓの再生分解能で変調が得られる範囲であれば回折限界未満の長さのピットが一部含まれていてもよく、上記実施の形態１の多層光ディスク４Ａと同様の効果を奏することができる。さらに、本実施の形態の多層光ディスク４Ｂは超解像機能層Ｌｓを有しているので、ラジアル方向の記録密度をさらに高くすることができる。
【００８８】
なお、本実施の形態の多層光ディスク４Ｂに対するトラッキングエラー検出は、ＤＰＤ法により行われることが好ましいが、ＤＰＤ法の代わりに、プッシュプル法を用いてトラッキングエラー信号を検出してもよい。プッシュプル法としては、３ビーム型のプッシュプル法あるいは１ビーム型のプッシュプル法を使用することができる。３ビーム型のプッシュプル法（ＤＰＰ法）は、光ディスクのガイド層Ｌｇに照射されるべき光ビームＢ１から１本のメインビーム（たとえば、０次透過回折光ビーム）と２本のサブビーム（たとえば、±１次透過回折光ビーム）とを分離する回折格子などの光分離素子（図示せず）を使用する方式である。たとえば、ガイド層Ｌｇにおける２本のサブビームの照射位置は、メインビームの照射位置を中心として対称な位置となるように、また、多層光ディスク４Ａのタンジェンシャル方向Ｙθに互いに離間し、且つ、ラジアル方向ＸＲに略１／２トラックピッチだけ互いに離間するように調整される。たとえば、レーザ光源２１と偏光ビームスプリッタ２２との間の光路に光分離素子を配置することが可能である。一方、１ビーム型のプッシュプル法は、たとえば、偏光ビームスプリッタ２２と受光素子２６との間の光路に配置されたホログラム素子などの光分離素子を用いて、ガイド層Ｌｇで反射した光ビームＢ１の戻り光から、０次回折光ビームと±１次回折光ビームとを分離して受光素子２６で受光させる方式である。３ビーム型と１ビーム型のいずれのプッシュプル法を使用しても、受光素子２６に対する対物レンズ３８の変位（対物レンズシフト）の際に生じるオフセット成分に起因するトラッキングエラー信号のＤＣ成分（直流成分）の変動を抑制することができる。
【００８９】
図１０は、３ビーム型のプッシュプル法に使用される受光素子２６の受光面の構成例を概略的に示す図である。図１０の受光面は、メインビームの戻り光のスポットＲＳ１ｍを受光する主受光面２６０と、２本のサブビームのうちの一方の戻り光のスポットＲＳ１ａを受光する副受光面２６３と、２本のサブビームのうちの他方の戻り光のスポットＲＳ１ｂを受光する副受光面２６５とを有している。これら主受光面２６０と副受光面２６３，２６５とは、多層光ディスク４Ａのラジアル方向ＸＲに対応する方向Ｘ１に配列されている。図１０の主受光面２６０は、図５の４分割受光面２６０と同じであり、ＤＰＤ法や非点収差法にも適用することができるものである。また、一方の副受光面２６３は、分割線２６４を境にして２つの受光領域２６３Ｅ，２６３Ｆに分割され、他方の副受光面２６５は、分割線２６６を境にして２つの受光領域２６５Ｇ，２６５Ｈに分割されている。これら受光領域２６３Ｅ，２６３Ｆ，２６５Ｇ，２６５Ｈは、入射光を光電変換してそれぞれ検出信号ＩＥ，ＩＦ，ＩＧ，ＩＨを生成する。
【００９０】
プッシュプル法によるトラッキングエラー信号ＴＥは、次式（３），（３ａ），（３ｂ）で与えられる。
ＴＥ＝ＭＰＰ−ｋ×ＳＰＰ    ・・・（３）
ＭＰＰ＝（ＩＡ＋ＩＤ）−（ＩＢ＋ＩＣ）      ・・・（３ａ）
ＳＰＰ＝（ＩＥ−ＩＦ）＋（ＩＧ−ＩＨ）      ・・・（３ｂ）
【００９１】
ここで、ｋは、ゲイン係数である。ＭＰＰは主プッシュプル信号を表し、ＳＰＰは副プッシュプル信号を表している。主プッシュプル信号ＭＰＰと副プッシュプル信号ＳＰＰとは、対物レンズシフトに関して互いに同じ位相を有している。すなわち、ＭＰＰの信号レベルが増大すると、ＳＰＰの信号レベルも増大し、ＭＰＰの信号レベルが低下すると、ＳＰＰの信号レベルも低下する。このため、対物レンズシフトに起因するオフセット成分は信号成分ｋ×ＳＰＰとして得られる。したがって、ゲイン係数ｋを適宜調整して副プッシュプル信号ＳＰＰを増幅することで、対物レンズシフトに起因するオフセット成分がキャンセルされたトラッキングエラー信号ＴＥを生成することができる。
【００９２】
実施の形態３．
次に、本発明に係る実施の形態３について説明する。上記実施の形態２に係る多層光ディスク４Ｂは、ガイド層Ｌｇｐのガイドトラックがピット列によって構成されている例であるが、ピット列ではなく、グルーブ構造によってガイドトラックが構成されてもよい。実施の形態３に係る多層光ディスクは、グルーブ構造で構成されるガイドトラックを有している。
【００９３】
図１１は、この実施の形態３に係る多層光ディスク４Ｃの断面構造を概略的に示す図である。なお、本実施の形態の駆動装置の構成は、上記実施の形態１の駆動装置１の構成とほぼ同じであるので、以下、図１を参照しつつ実施の形態３について説明する。本実施の形態の駆動装置は、多層光ディスク４Ｃに対して情報の再生あるいは記録を行うことが可能である。
【００９４】
図１１に示されるように、多層光ディスク４Ｃは、積層された情報記録層Ｌ０〜Ｌ６と、ガイド層Ｌｇｇと、このガイド層Ｌｇｇに隣接する超解像機能層Ｌｓと、これら情報記録層Ｌ０〜Ｌ６とガイド層Ｌｇｇと超解像機能層Ｌｓとを被覆する透光性保護層（カバー層）４０１とを有している。また、ガイド層Ｌｇｇの裏面は、裏面保護層４０９によって被覆されている。情報記録層Ｌ０〜Ｌ６は、透光性中間層４０２〜４０７によって互いに分離されており、超解像機能層Ｌｓは、ガイド層Ｌｇｇと情報記録層Ｌ０〜Ｌ６との間に介在している。なお、図１１の例では、情報記録層Ｌ０〜Ｌ６は７層であるが、この層数に限定されるものではない。
【００９５】
この多層光ディスク４Ｃは、ガイド層Ｌｇｇを除いて、上記実施の形態２の多層光ディスク４Ｂと同じ構造を有する。また、多層光ディスク４Ｃの超解像機能層Ｌｓの機能及び構成材料は、上記実施の形態２に係る多層光ディスク４Ｂの超解像機能層Ｌｓの機能及び構成材料と同じである。よって、多層光ディスク４Ｃの超解像機能層Ｌｓは、光ビームＢ１の光強度に応じて光学特性（光吸収特性や光透過反射特性や光散乱特性）が非線形に変化する材料で構成され、光ビームＢ１の集光スポットの照射を受ける間、屈折率などの光学特性が変化する非線形光吸収特性または非線形光特性を有している。
【００９６】
多層光ディスク４Ｃの超解像機能層Ｌｓが光ビームＢ１の照射を受けると、光ビームＢ１の集光スポットの光強度の高いあるいは温度の高い局所的な領域で超解像機能層Ｌｓの光学特性が一時的に変化する。そして、超解像機能層Ｌｓは、その局所的な領域で近接場光や局在プラズモン光などの局在光を発生させる。この局在光は、ガイド層Ｌｇｇのガイドトラックの微細構造（ピット列など）と相互作用することで伝搬光（戻り光）に変換される。これにより、集光スポットによる再生分解能が高くなり、対物レンズ３８の開口数ＮＡ１と波長λ１とで定まる回折限界λ１／（２×ＮＡ１）よりも小さいトラックピッチのガイドトラックを検出することが可能となる。
【００９７】
図１２は、実施の形態３に係る多層光ディスク４Ｃのガイド層Ｌｇｇのガイドトラックを構成するグルーブ構造を概略的に示す斜視図である。図１２に示されるように、ガイド層Ｌｇｇは、ガイドトラックＧＴｋ−１，ＧＴｋ，ＧＴｋ＋１，ＧＴｋ＋２，…を構成しタンジェンシャル方向Ｙθに延在するグルーブ４１０Ｇとランド４１０Ｌとを有している。ガイドトラックＧＴｋ−１，ＧＴｋ，ＧＴｋ＋１，ＧＴｋ＋２，…は、ラジアル方向ＸＲにおいて一定間隔（トラックピッチ）Λで配列されている。このようなガイド層Ｌｇｇに対して、超解像機能層Ｌｓで発生した光強度分布ＬＤ１を持つ局在光ＬＢ１の光スポットＬＳ１が照射される。
【００９８】
なお、本実施の形態では、トラッキング制御回路５３は、グルーブ４１０Ｇをガイドトラックとし、このグルーブ４１０Ｇの略中心線を目標に光スポットＬＳ１を追従させているが、この代わりに、ランド４１０Ｌをガイドトラックとし、このランド４１０Ｌの略中心線を目標に光スポットＬＳ１を追従させてもよい。
【００９９】
また、実施の形態２の場合と同様に、図１１の超解像機能層Ｌｓは、ガイド層Ｌｇｇよりも光ビームＢ１の入射面に近い手前側に形成されているが、これに限定されるものではなく、当該入射面とは反対側（奥側）に超解像機能層が形成されてもよいし、あるいは、手前側及び反対側の両方に超解像機能層が形成されてもよい。さらに、情報記録層Ｌ０〜Ｌ６のすべてまたは情報記録層Ｌ０〜Ｌ６のうちのいずれかに隣接する超解像機能層を設けてデータの記録密度を高くしてもよい。
【０１００】
アドレス検出部５４は、ガイド層Ｌｇｇからの戻り光の光量変化に基づいて、予めガイド層ＬｇｇのガイドトラックＧＴｋ−１，ＧＴｋ，ＧＴｋ＋１，ＧＴｋ＋２，…に記録されているアドレス情報や制御情報などの埋め込み情報を検出する機能を有する。アドレス情報は、情報記録層Ｌ０〜Ｌ６における位置を特定するために予めガイド層Ｌｇｇに記録される情報である。データ処理回路６５は、検出されたアドレス情報や制御情報を利用してデータ処理を行うことができる。また、再生記録制御回路６１も、検出されたアドレス情報や制御情報を利用して情報の再生制御もしくは記録制御を行うことが可能である。
【０１０１】
グルーブ４１０Ｇは、図１２に示されるように、ＭＳＫやＳＴＷなどの変調方式で規定される空間周波数で蛇行（ウォブル）している。このため、アドレス検出部５４は、受光素子２６から供給された検出信号に基づいてプッシュプル信号を生成し、このプッシュプル信号をフィルタリング（波形整形）することで、グルーブ４１０Ｇの空間周波数に対応する波形を有するウォブル信号を生成することができる。そして、アドレス検出部５４は、このウォブル信号からアドレス情報や制御情報などの埋め込み情報を検出することが可能である。たとえば、ＤＶＤ＋ＲやＢＤで採用されているプリグルーブのウォブリングによるアドレス管理方法を採用してグルーブ構造を形成することができる。あるいは、ＤＶＤ−Ｒで採用されているようなランドプリピットによるアドレス管理方法を採用してランドプリピット付きのグルーブ構造を形成してもよい。
【０１０２】
本実施の形態では、トラッキングエラー検出は、上記のＤＰＤ法とプッシュプル法のいずれを使用して行われてもよい。たとえば、図５の受光面を用いたＤＰＤ法、あるいは、図１０の受光面を用いた３ビーム型のプッシュプル法によりトラッキングエラー検出を行うことが可能である。この場合、アドレス検出部５４は、受光領域２６０Ａ，２６０Ｄでの受光量と受光領域２６０Ｂ，２６０Ｃでの受光量との差分に相当するプッシュプル信号（＝ＩＡ＋ＩＤ）−（ＩＢ＋ＩＣ））をウォブル信号として得ることができる。
【０１０３】
以上に説明したように実施の形態３は、上記超解像機能層Ｌｓにより、光ビームＢ１の集光スポットの実効的な分解能を高めることができるため、情報の記録または再生用の光ビームＢ２の波長λ２よりも長い波長λ１の光ビームＢ１を用いても、トラックピッチΛを小さい値に設定することができる。これにより、多層光ディスク４Ｃのラジアル方向の記録密度を高くすることができる。
【０１０４】
たとえば、超解像効果によってラジアル方向の分解能が約２．３２倍以上に設定した場合には、ＤＶＤと同等の集光光学系（光ビームＢ１の波長λ１を６５５ｎｍ、対物レンズ３８の実効開口数ＮＡ１を０．６０）を用いながらトラックピッチを従来のＢＤディスクと同様の３２０ｎｍ、あるいは、それ以下に小さくすることができる。たとえば、超解像機能層Ｌｓが、ＩｎＳｂやＧｅＳｂＴｅ、ＡｇＩｎＳｂＴｅなどの相変化材料を用いて構成された場合、分解能を２倍程度に高めることができれば、トラックピッチΛを３７０ｎｍ程度まで小さくすることができる。
【０１０５】
実施の形態１〜３の変形例．
以上、図面を参照して本発明に係る種々の実施の形態について述べたが、これらは本発明の例示であり、上記以外の様々な形態を採用することもできる。たとえば、図１の駆動装置１において光ビームＢ１，Ｂ２を伝搬する光学系はその一例を示したものであり、これに限定されるものではない。さらに、図１には、駆動装置１の主要な構成要素のみが示されているが、駆動装置１はその他の構成要素を有していてもよい。
【０１０６】
また、駆動装置１は、情報記録層Ｌ０〜Ｌ６のうちアクセス対象の情報記録層以外で反射された光（迷光）を除去するための迷光除去手段を有していることが好ましい。このような迷光は、サーボエラー検出（トラッキングエラー検出及びフォーカスエラー検出など）や再生信号検出に不要なものである。図１３は、ケプラータイプ光学系を有する迷光除去手段の構成を示す図である。図１３の迷光除去手段は、２枚のレンズ４２，４３と、これらレンズ４２，４３の集光点に配置された空間フィルタ４４とを有する。空間フィルタ４４には、たとえば、図１４に示されるようにピンホール４４ｐを有するものを使用することができるが、これに代えて、回折格子を使用してもよい。このような迷光除去手段を、たとえば、コリメータレンズ３４と反射ミラー３６との間に挿入すればよい。
【０１０７】
また、上記駆動装置１を、たとえば、パーソナル・コンピュータ、ワークステーション、音響装置もしくはディジタル放送の録画装置などの電子機器に組み込むことも可能である。
【符号の説明】
【０１０８】
１  駆動装置、  ２  光ヘッド（光ピックアップ）、  ３  ディスク回転モータ、  ４Ａ，４Ｂ，４Ｃ  多層光ディスク（光記録媒体）、  Ｌ０〜Ｌ６  情報記録層、  Ｌｇ，Ｌｇｐ，Ｌｇｇ  ガイド層、  Ｌｓ  超解像機能層、  ４０１  保護層（カバー層）、  ４０２〜４０８  中間層、  ４０９  裏面保護層、  ２１  レーザ光源、  ２２  偏光ビームスプリッタ、  ２３  コリメータレンズ（ＣＬ１）、  ２４  レンズ駆動部、  ２５  集光レンズ、  ２６  受光素子、  ２６０  ４分割受光面、  ２６０Ａ〜２６０Ｄ  受光領域、  ２６３，２６５  副受光面（２分割受光面）、  ２６３Ｅ，２６３Ｆ，２６５Ｇ，２６５Ｈ  受光領域、  ２７  波長選択性プリズム、  ２９  レーザ光源、  ３０  偏光ビームスプリッタ、  ３１  集光レンズ、  ３２  受光素子、  ３４  コリメータレンズ（ＣＬ２）、  ３５  レンズ駆動部、  ３６  反射ミラー、  ３７  １／４波長板、  ３８  対物レンズ、  ３９  レンズホルダー、  ４０  アクチュエータ、  ５２  コリメータレンズ制御回路（ＣＬ１制御回路）、  ５３  トラッキング制御回路、  ５４  アドレス検出部、  ５５  回転制御部、  ５５１  モータ制御回路、  ５５２  回転パルス検出回路、  ６１  再生記録制御回路、  ６２  レーザドライバ、  ６５  データ処理回路、  ６６  コリメータレンズ制御回路（ＣＬ２制御回路）、  ６７  フォーカス制御回路。
【図１】
2012226809.tif 000003
【図２】
2012226809.tif 000004
【図３】
2012226809.tif 000005
【図４】
2012226809.tif 000006
【図５】
2012226809.tif 000007
【図６】
2012226809.tif 000008
【図７】
2012226809.tif 000009
【図８】
2012226809.tif 000010
【図９】
2012226809.tif 000011
【図１０】
2012226809.tif 000012
【図１１】
2012226809.tif 000013
【図１２】
2012226809.tif 000014
【図１３】
2012226809.tif 000015
【図１４】
2012226809.tif 000016